(57)【要約】  空気が上端側から下端側へ流れる筒状内面を有し、この筒状内面を鏡面処理した筒状反射体１０と、筒状反射体１０内の中央に、長手方向に沿って配設された棒状の紫外線ランプ１２と、筒状反射体１０の内径にほぼ等しい直径の通気性を有する板状光触媒フィルタとなっており、筒状反射体１０内の一端側及び他端側にそれぞれ設けられ、その中央を紫外線ランプ１２が貫通する板状光触媒フィルタ１４と、筒部材の内径にほぼ等しい直径の通気性を有する板状光触媒フィルタとなっており、筒状反射体１０の下端開口を閉鎖する板状銅フィルタ１５と、を備えた空気殺菌清浄装置を提供する。
2011087100.tif 000002
【特許請求の範囲】
【請求項１】
少なくとも空気が一端側から他端側へ流れる筒状内面を有し、この筒状内面を鏡面処理した筒状反射体と、
前記筒状反射体内の中央に、長手方向に沿って配設された棒状の紫外線ランプと、
前記筒状反射体の内径にほぼ等しい直径の通気性を有する板状となっており、前記筒状反射体内の一端側及び他端側にそれぞれ設けられ、その中央を前記紫外線ランプが貫通する板状光触媒フィルタと、
を備えた空気殺菌清浄装置。
【請求項２】
前記筒状反射体が、一端側を閉鎖させるとともに他端側を開口させた筒部材からなり、該筒部材の一端側に空気の入口を設け、他端側の開口を、該筒部材の内径にほぼ等しい直径の通気性を有する板状の銅フィルタによって閉鎖した請求項１記載の空気殺菌清浄装置。
【請求項３】
前記筒状反射体が、一端側及び他端側を閉鎖させた筒部材からなり、一端側に空気の吸引口を設けるとともに、他端側に空気の排出口を設け、これら吸引口と排出口の少なくとも一方に吸引ファンを接続し、該筒部材の一端側から他端側へ空気を強制的に流通させた請求項１記載の空気殺菌清浄装置。
【請求項４】
前記筒状反射体が、一端側及び他端側を閉鎖させた筒部材からなり、複数の前記筒部材を、空気の流通が可能な管路を介して直列に連結し、直列の一端に連結された前記筒部材に吸引口、直列の他端に連結された前記筒部材に排出口をそれぞれ設け、これら吸引口と排出口の少なくとも一方に吸引ファンを接続し、直列の一端から他端に連結された複数の前記筒部材に空気を強制的に流通させた請求項１記載の空気殺菌清浄装置。
【請求項５】
前記空気殺菌清浄装置を構成する前記紫外線ランプの電極部を、前記筒状反射体の内部空間から遮断するとともに、該電極部への外気の流通を可能とした請求項１〜４のいずれか１項に記載した空気殺菌清浄装置。
【請求項６】
前記紫外線ランプが、蛍光管を折り曲げ又はブリッジさせた略Ｕ字形蛍光管を備えた請求項１〜５のいずれか１項に記載した空気殺菌清浄装置。
【請求項７】
前記筒状反射体が、一端側及び他端側を閉鎖させた筒部材からなり、該筒部材の一端側に空気の入口を設けるとともに、該筒状部材の他端側に空気の出口を設け、
前記筒状反射体の前記板状光触媒フィルタよりも一端側に、前記入口から筒内に流入した空気の流れを整える整流手段を設けた請求項１〜６のいずれか１項に記載した空気殺菌清浄装置。
【請求項８】
前記整流手段が、前記筒状反射体の内径にほぼ等しい直径の通気性を有する板状光触媒フィルタであり、該板状光触媒フィルタの板面全体に、前記空気の流れを整える多数の通気孔をほぼ均等に設けた請求項７記載の空気殺菌清浄装置。
【請求項９】
前記筒状反射体の入口及び出口を、通気性を有する板状の銅フィルタによって閉鎖した請求項７又は８記載の空気殺菌清浄装置。
【請求項１０】
前記筒状反射体の出口よりも他端側に、通気性を有する板状の銅フィルタを設けるとともに、該銅フィルタの付近に貯留した水滴を筒外に排出させるための排水口を設けた請求項７〜９のいずれか１項に記載した空気殺菌清浄装置。
【請求項１１】
前記紫外線ランプの累積使用時間又は交換時期を報知するための手段を設けた請求項１〜１０のいずれか１項に記載した空気殺菌清浄装置。
【請求項１２】
前記空気殺菌清浄装置と、
少なくとも患者からの呼気ガスを流通させるためのチューブとを含み、
前記チューブに前記空気殺菌清浄装置の入口又は吸引口を接続し、該空気殺菌清浄装置によって前記呼気ガスを殺菌及び清浄した後、室内に排出させる請求項１〜１１のいずれか１項に記載した空気殺菌清浄装置を用いた呼気ガス殺菌清浄装置。
【請求項１３】
前記空気殺菌清浄装置と、
患者への吸気ガス及び患者からの呼気ガスを流通させるための複数のチューブを連結させた呼吸回路と、
患者への吸気ガスの供給及び患者の呼気ガスの排出を制御するベンチレータとを含み、
前記ベンチレータの呼気ガスの排出口に前記空気殺菌清浄装置の入口又は吸引口を接続し、該空気殺菌清浄装置によって前記呼気ガスを殺菌及び清浄した後、室内に排出させる請求項１〜１１のいずれか１項に記載した空気殺菌清浄装置を用いた呼気ガス殺菌清浄装置。
【請求項１４】
前記吸引ファンを備えた前記空気殺菌清浄装置と、
薄型の箱状枠体の開口する正面に通気性のシート材を張設することによって、前記箱状枠体内に前記シート材で閉鎖された内部空間を形成し、該内部空間に連通する空気の流通が可能な接続部を設けた第１吸排気パネルとを含み、
前記第１吸排気パネルの接続部に前記空気殺菌清浄装置の吸引口を接続し、前記第１吸排気パネルを介して室内の空気を前記空気殺菌清浄装置内に吸引し、該空気殺菌清浄装置によって前記呼気ガスを殺菌及び清浄した後、室内に排出させる請求項３〜１１のいずれか１項に記載した空気殺菌清浄装置を用いた室内空気殺菌清浄装置。
【請求項１５】
前記室内に、前記第１吸排気パネルと所定の間隔をあけて対向配置された第２吸排気パネルをさらに備え、該第２吸排気パネルの接続部に送風手段を接続し、前記第２吸排気パネルから前記第１吸排気パネルへの一方向の空気の流れを形成した請求項１４記載の室内空気殺菌清浄装置。
【請求項１６】
前記送風手段が、前記第１吸排気パネルに接続した前記空気殺菌清浄装置、又は第１吸排気パネルに接続したものとは別個の前記空気殺菌清浄装置であり、いずれかの前記空気殺菌清浄装置の排出口を前記第２吸排気パネルの接続部に接続し、前記第２吸排気パネルから前記第１吸排気パネルへ殺菌及び清浄済みの空気が流れるようにした請求項１５記載の室内空気殺菌清浄装置。
【請求項１７】
前記吸引ファンを備えた前記空気殺菌清浄装置と、
閉鎖された空間の骨組みを形成する躯体フレームと、
前記躯体フレームを被覆して、該躯体フレーム内に閉鎖された空間を形成する一又は複数のシート材と、
前記シート材によって閉鎖された空間に連通する空気の流通が可能な接続部とを含み、
前記接続部に、前記空気殺菌清浄装置の排出口又は吸引口を接続することによって、前記シート材によって閉鎖された空間に殺菌及び清浄済みの空気を供給し、又は、前記シート材によって閉鎖された空間内の空気を吸引して殺菌及び清浄する請求項３〜１１のいずれか１項に記載した空気殺菌清浄装置を用いた簡易隔離装置。
【請求項１８】
薄型の箱状枠体の開口する正面に通気性のシート材を張設することによって、前記箱状枠体内に前記シート材で閉鎖された内部空間を形成し、該内部空間に連通する空気の流通が可能な前記接続部を設けた吸排気パネルを備え、
前記吸排気パネルを前記閉鎖された空間の天井に用い、該吸排気パネルの前記接続部に、前記空気殺菌清浄装置の排出口を接続することによって、該吸排気パネルを介して前記空間内に殺菌及び清浄済みの空気を供給する請求項１７記載の簡易隔離装置。
【請求項１９】
前記吸引ファンを備えた前記空気殺菌清浄装置と、
薄型の箱状枠体の開口する正面に通気性のシート材を張設することによって、前記箱状枠体内に前記シート材で閉鎖された内部空間を形成し、該内部空間に連通する空気の流通が可能な接続部を設けた吸排気パネルと、
閉鎖された空間の骨組みを形成する躯体フレームと、
前記躯体フレームを被覆して、該躯体フレーム内に閉鎖された空間を形成する一又は複数のシート材と、
前記シート材によって閉鎖された空間に連通する開口部と、
前記開口部を塞ぐ通気性のフィルタ部材と、を含み、
前記空気殺菌清浄装置の吸気口を前記吸排気パネルの接続部に接続し、該吸排気パネルを前記シート材によって閉鎖された空間内に配設し、該空間内の空気を吸引して殺菌及び清浄する請求項３〜１１のいずれか１項に記載した空気殺菌清浄装置を用いた簡易隔離装置。
【請求項２０】
前記開口部及びフィルタ部材を、前記シート材によって閉鎖された空間の上方に設けるとともに、前記吸排気パネルを、前記シート材によって閉鎖された空間の下方に配設し、前記空間の下方から該空間内の空気を吸引し、前記空間の上方から新しい空気が供給される請求項１９記載の空気殺菌清浄装置を用いた簡易隔離装置。
【発明の詳細な説明】
【技術分野】
【０００１】
本発明は、例えば、病室や診察室などの空気を殺菌及び清浄するための空気殺菌清浄装置、及びこれを用いた呼気ガス殺菌清浄装置、室内空気殺菌清浄装置、簡易隔離装置に関し、特に、小さい容積、短い全長で高い殺菌及び清浄効果が得られる簡単かつ小型の空気殺菌清浄装置、及びこれを用いた呼気ガス殺菌清浄装置、室内空気殺菌清浄装置、簡易隔離装置に関する。
【背景技術】
【０００２】
伝染病の感染経路の一つに空気感染がある。空気感染は、患者から飛散した細菌が空気中を浮遊し、これを呼吸器に吸い込むことで第三者に感染するというものである。一般的な空気感染の予防策としては、感染患者を個室隔離又は集団隔離し、医療従事者は感染患者と同じ室内に入るときにマスクを着用する。しかし、マスクは、着用時に細菌の呼吸器への侵入を防ぐことは可能であるが、室内の空気中に細菌が存在する限り、空気感染を完全に防止することは不可能である。【０００３】
例えば、死亡率６０％と言われるＨ５Ｎ１（鳥インフルエンザ）の重篤患者に対して人工呼吸器を使用するケースがある。しかし、従来の人工呼吸器では、患者が吐いた呼気ガスを殺菌することなく室内に排出していたため、患者の呼気ガスに含まれる細菌が医療従事者や他の患者に空気感染してしまうおそれがあった。【０００４】
このような問題を解決するため、特開２００１−１９８２０１号（特許文献１）には、「人工呼吸器の呼気回路中に紫外線殺菌灯を入れ、呼気が殺菌灯のまわりを回る事により、殺菌、不活性化させる方法」（段落［０００６］（ロ））が提案されている。【０００５】
また、呼気ガスの殺菌装置ではないが、実開昭６１−１５１７３８号（特許文献２）には、円筒状の通風管３内に紫外線を発生する電灯１を収納し、この電灯１の外周に、金属酸化物層４を塗布した螺旋状のフィン２を取り付けた構成の脱臭装置が提案されている（第１図を参照）。この脱臭装置は、発酵気体、し尿処理場、養家畜場などの被酸化硫黄化合物に起因する悪臭の除去などに用いられる。【０００６】
この脱臭装置における金属酸化物層４は、酸化チタン又は酸化亜鉛の単独又は混合物からなり、電灯１の紫外線照射を受けて励起する。このような金属酸化物層４に沿って非酸化硫黄化合物を含む気体を送気すると、非酸化硫黄化合物が二酸化硫黄、無水硫酸、一酸化炭素、水などに酸化分解され、気体の悪臭が除去される。
【特許文献１】特開２００１−１９８２０１号公報
【特許文献２】実開昭６１−１５１７３８号公報
【０００７】
しかし、上述した特許文献１には、患者の呼気ガスを紫外線殺菌灯で殺菌することは記載されているが、これを実施するための具体的な構成が一切記載されておらず、特許文献１の記載に基づいて、上記呼気ガスの殺菌を実現することはできなかった。【０００８】
また、上述した特許文献２の脱臭装置は、紫外線を発生する電灯１の外周に螺旋状のフィン２を取り付けた構成となっていたために、このフィン２が紫外線を遮ってしまい、気体への紫外線照射量が減少して、効果的な殺菌が行えないという問題があった。【０００９】
このため、特許文献２の脱臭装置に十分な殺菌性能をもたせるためには、通風管３の容積を拡大するとともに全長を長くすることが考えられる。しかし、この場合は、脱臭装置が全体的に大型化してしまい、もはや人工呼吸器の呼気回路中に入る大きさではなく、患者１人の呼気ガスを殺菌するには大掛かり過ぎる装置になってしまう。
【発明の開示】
【００１０】
本発明は、上記問題点に鑑みてなされたものであり、小さい容積、短い全長で高い殺菌及び清浄効果が得られる簡単かつ小型の空気殺菌清浄装置、及びこれを用いた呼気ガス殺菌清浄装置、室内空気殺菌清浄装置、簡易隔離装置の提供を目的とする。
【図面の簡単な説明】
【００１１】
【図１】本発明の第１実施形態に係る空気殺菌清浄装置、及びこれを用いた呼気ガス殺菌清浄装置を示す概略図である。
【図２】図１の空気殺菌清浄装置の内部構造を示す部分断面斜視図である。
【図３】図１の空気殺菌清浄装置の殺菌及び清浄作用を説明するための部分断面図である。
【図４】本発明の第２実施形態に係る空気殺菌清浄装置、及びこれを用いた呼気ガス殺菌清浄装置を示す概略図である。
【図５】本発明の第３実施形態に係る空気殺菌清浄装置を示す概略図である。
【図６】図５の空気殺菌清浄装置を用いた室内空気殺菌清浄装置（第４実施形態）を示す斜視図である。
【図７】上記室内空気殺菌清浄装置の変更例を示す斜視図である。
【図８】図５の空気殺菌清浄装置を用いた簡易隔離装置（第５実施形態）を示す斜視図である。
【図９】図５の空気殺菌清浄装置を用いた簡易隔離装置（第６実施形態）を示す斜視図である。
【図１０】本発明の第７実施形態に係る空気殺菌清浄装置を示す部分断面図である。
【発明の詳細な説明】
【００１２】
全般的説明
本発明の一実施形態に係る空気殺菌清浄装置は、少なくとも空気が一端側から他端側へ流れる筒状内面を有し、この筒状内面を鏡面処理した筒状反射体と、前記筒状反射体内の中央に、長手方向に沿って配設された棒状の紫外線ランプと、前記筒状反射体の内径にほぼ等しい直径の通気性を有する板状となっており、前記筒状反射体内の一端側及び他端側にそれぞれ設けられ、その中央を前記紫外線ランプが貫通する板状光触媒フィルタと、を備えた構成としてある。
【００１３】
上記構成によれば、筒状反射体の長手方向に沿って紫外線ランプを配設したことにより、筒内における紫外線の反射効率が良好となる。また、通気性を有する板状光触媒フィルタを、筒状反射体内の一端側及び他端側に設けたことにより、これら板状光触媒フィルタが筒内で紫外線を遮ることがない。
【００１４】
これらの構成が相俟って、筒状反射体の一端側から他端側へ流れる空気を、紫外線ランプから直接照射された紫外線と、筒状反射体に反射された紫外線とによって効果的に殺菌することができる。また、筒内における紫外線の反射効率が良好となるため、各板状光触媒フィルタに照射される紫外線照射量も増大し、空気中に含まれる有機化合物や無機化合物の酸化分解が可能となる。
【００１５】
これにより、筒状反射体の容積を小さく、全長を短くした場合でも高い殺菌効果を得ることができ、装置の小型化、簡単化及びローコスト化を図ることが可能となる。また、強力な紫外線で光触媒フィルタを効果的に光触媒活性させることができ、各板状光触媒フィルタを通過する空気の殺菌、消臭、脱臭及び有害ガスの除去効果を増大させることが可能となる。この結果、例えば、呼吸回路に接続して、患者一人の呼気ガスを殺菌及び清浄するのに適した簡便な空気殺菌清浄装置が実現する。
【００１６】
好ましくは、前記筒状反射体が、一端側を閉鎖させるとともに他端側を開口させた筒部材からなり、該筒部材の一端側に空気の入口を設け、他端側の開口を、該筒部材の内径にほぼ等しい直径の通気性を有する板状の銅フィルタによって閉鎖した構成とする。
【００１７】
上記構成によれば、少なくとも筒状反射体の一端側を閉鎖させることにより、筒状反射体内からの紫外線の漏洩及び直視を回避することが可能となり、安全性の向上を図ることができる。例えば、一端側が上、他端側が下となるように筒状反射体を立てて配置すれば、筒状反射体内からの紫外線の漏洩及び直視を回避することができる。
【００１８】
また、筒状反射体の他端側の開口を銅フィルタによって閉鎖したことにより、この銅フィルタに含まれる銅イオンが殺菌効果を発揮するほか、筒状反射体内への害虫の侵入を防止することができる。
【００１９】
好ましくは、前記筒状反射体が、一端側及び他端側を閉鎖させた筒部材からなり、一端側に空気の吸引口を設けるとともに、他端側に空気の排出口を設け、これら吸引口と排出口の少なくとも一方に吸引ファンを接続し、該筒部材の一端側から他端側へ空気を強制的に流通させた構成とする。
【００２０】
上記構成によれば、吸引ファンによって、室内の空気を筒状反射体内へ強制的に吸引して殺菌及び清浄することができ、本空気殺菌清浄装置の適用範囲を大幅に拡大することができる。例えば、本空気殺菌清浄装置を呼吸回路や人工呼吸器に適用する場合、呼気ガスは、患者の呼吸努力によって本空気殺菌清浄装置に流れるので、吸引ファンがなくても呼気ガスを殺菌清浄することができる（吸引ファンの吸引力や人工呼吸器の動作モードによっては、吸引ファンを設けてもよい。）。また例えば、本空気殺菌清浄装置によって室内の空気を殺菌清浄する場合、室内の空気を本空気殺菌清浄装置に吸引するための吸引ファンが必須となる。
【００２１】
好ましくは、前記筒状反射体が、一端側及び他端側を閉鎖させた筒部材からなり、複数の前記筒部材を、空気の流通が可能な管路を介して直列に連結し、直列の一端に連結された前記筒部材に吸引口、直列の他端に連結された前記筒部材に排出口をそれぞれ設け、これら吸引口と排出口の少なくとも一方に吸引ファンを接続し、直列の一端から他端に連結された複数の前記筒部材に空気を強制的に流通させた構成とする。
【００２２】
上述したように、本空気殺菌清浄装置は、小型かつ簡単な構成でありながら高い殺菌能力を発揮するものであるが、より大量の空気を短時間で殺菌する必要がある場合などは、上記構成を採用するとよい。上記構成によれば、小さい容積、短い全長の筒状反射体を直列に連結させることで、装置全体の小型化を図りつつ、装置の殺菌長を長くすることができ、殺菌効果を大幅に向上させることが可能となる。また、例えば、複数の筒状反射体内にそれぞれ配置された紫外線ランプのうちの１本が切れた場合でも、他の筒状反射体内の紫外線ランプによって殺菌することができるフェイルセーフの効果もある。
【００２３】
好ましくは、前記空気殺菌清浄装置を構成する前記紫外線ランプの電極部を、前記筒状反射体の内部空間から遮断するとともに、該電極部への外気の流通を可能とした構成としてある。
【００２４】
例えば、呼吸回路や人工呼吸器では、患者に高濃度酸素を供給する場合があり、このような場合には、本空気殺菌清浄装置の筒状反射体に酸素濃度の高い呼気ガスが流入することになる。一般に、酸素濃度の高い環境下では、スパークによって周辺部品が発火するおそれがある。そこで、上記構成によれば、酸素濃度の高い空気が筒状反射体内に流入するような場合でも、紫外線ランプの電極部を筒状反射体の内部空間から遮断し、かつ、外気を流通させて電極部周辺の酸素濃度を低下させているので、該電極部のスパークによって本装置の構成部品が発火する危険性を回避することができる。
【００２５】
好ましくは、前記紫外線ランプが、蛍光管を折り曲げ又はブリッジさせた略Ｕ字形蛍光管を備えた構成とする。
【００２６】
上記構成によれば、紫外線ランプに略Ｕ字形蛍光管を採用することにより、本装置をコンパクト化しつつ、紫外線による空気の殺菌性能を大幅に向上させることができる。また、直管形蛍光管と比較して、略Ｕ字形蛍光管は、筒状反射体の一端側又は他端側のいずれか一方に電極部を集約させることができる。これにより、本装置の構成の簡単化を図ることが可能となる。例えば、紫外線ランプに略Ｕ字形蛍光管を採用した場合は、上述した電極部周辺の酸素濃度を低下させる構成を、筒状反射体の一端側又は他端側のいずれか一方に設ければよい。
【００２７】
好ましくは、前記筒状反射体が、一端側及び他端側を閉鎖させた筒部材からなり、該筒部材の一端側に空気の入口を設けるとともに、該筒状部材の他端側に空気の出口を設け、
前記筒状反射体の前記板状光触媒フィルタよりも一端側に、前記入口から筒内に流入した空気の流れを整える整流手段を設けた構成とする。
【００２８】
筒状反射体において、乱流状態で筒内に流入した空気は、ハニカム構造の光触媒フィルタにより層流に整えることができる。これにより、筒内における空気の流れを均一にし、紫外線ランプ及び板状光触媒フィルタによる殺菌、消臭、脱臭及び有害ガスの除去を効果的に行うことが可能となる。ここで、空気の流れを整える整流手段として、例えば、フィン、格子、多孔板など、空気の流れを均一にすることが可能な種々のタイプ整流手段を適用することができる。
【００２９】
好ましくは、前記整流手段が、前記筒状反射体の内径にほぼ等しい直径の通気性を有する板状光触媒フィルタであり、該板状光触媒フィルタの板面全体に、前記空気の流れを整える多数の通気孔をほぼ均等に設けた構成とする。
【００３０】
上記構成によれば、板状光触媒フィルタからなる整流手段が、筒内に流入した空気の流れを、多数の通気孔によって層流に整えるとともに、筒状反射体の内面に反射された紫外線を受けて光触媒活性し、当該空気の殺菌、消臭、脱臭及び有害ガスの除去を効果的に行うことが可能となる。
【００３１】
好ましくは、前記筒状反射体の入口及び出口を、通気性を有する板状の銅フィルタによって閉鎖した構成とする。
【００３２】
上記構成によれば、筒状反射体の入口及び出口を、通気性を有する板状の銅フィルタによって閉鎖したことにより、この銅フィルタに含まれる銅イオンが殺菌効果を発揮するほか、筒状反射体内への害虫や異物の侵入を防止することができる。特に、銅イオンは、病原性大腸菌Ｏ−１５７、レジオネラ菌に高い除菌効果を発揮する。
【００３３】
好ましくは、前記筒状反射体の出口よりも他端側に、通気性を有する板状の銅フィルタを設けるとともに、該銅フィルタの付近に貯留した水滴を筒外に排出させるための排水口を設けた構成とする。
【００３４】
上記構成によれば、筒状反射体内に流入した空気中の水分が結露して、筒状反射体の底部に水滴が貯留した場合でも、該水滴を銅フィルタによって除菌することができ、排水口から筒外に排出させることができる。特に、銅フィルタの除菌効果は、本装置の電源をＯＦＦにしたときにも発揮されるので、筒状反射体内に貯留した水滴を確実に除菌することができる。また、該水滴は、排水口を介して安全な場所に排出させることが可能である。
【００３５】
好ましくは、前記紫外線ランプの累積使用時間又は交換時期を報知するための手段を設けた構成とする。
【００３６】
上記構成によれば、目視することのできない筒状反射体内の紫外線ランプの寿命又は交換時期（例えば、長寿命のもので５０００〜８０００時間）を使用者に確実に報知することができる。報知手段としては、例えば、紫外線ランプの累積使用時間や交換時期を数字、文字、記号又は図形などで知らせるタイムカウンタや液晶表示装置を採用することができ、交換時期をＬＥＤランプ等で知らせる機構等を採用してもよい。
【００３７】
本発明の一実施形態に係る第１の呼気ガス殺菌清浄装置は、前記空気殺菌清浄装置と、少なくとも患者からの呼気ガスを流通させるためのチューブとを含み、前記チューブに前記空気殺菌清浄装置の入口又は吸引口を接続し、該空気殺菌清浄装置によって前記呼気ガスを殺菌及び清浄した後、室内に排出させる構成としてある。
【００３８】
上記構成からなる呼気ガス殺菌清浄装置は、本空気殺菌清浄装置の呼吸回路への適用例であり、本呼気ガス殺菌清浄装置によれば、呼吸回路を構成する呼気ガス排出用のチューブに本空気殺菌清浄装置を接続するだけで、患者の呼気ガスを確実に殺菌及び清浄することができ、患者が隔離された室内の空気汚染を防止することが可能となる。
【００３９】
特に、病院や家庭内での空気感染を防止することがき、例えば、感染力の強いインフルエンザウイルス（ex.Ｈ５Ｎ１、Ｈ１Ｎ１等）に感染した患者に本呼気ガス殺菌清浄装置を用いることで、感染の拡大を効果的に阻止することが可能となる。
【００４０】
本発明の一実施形態に係る第２の呼気ガス殺菌清浄装置は、前記空気殺菌清浄装置と、患者への吸気ガス及び患者からの呼気ガスを流通させるための複数のチューブを連結させた呼吸回路と、患者への吸気ガスの供給及び患者の呼気ガスの排出を制御するベンチレータとを含み、前記ベンチレータの呼気ガスの排出口に前記空気殺菌清浄装置の入口又は吸引口を接続し、該空気殺菌清浄装置によって前記呼気ガスを殺菌及び清浄した後、室内に排出させる構成としてある。
【００４１】
上記構成からなる呼気ガス殺菌清浄装置は、本空気殺菌清浄装置の人工呼吸器への適用例であり、このような呼気ガス殺菌清浄装置によっても、ベンチレータの呼気ガスの排出口に本空気殺菌清浄装置を接続するだけで、患者の呼気ガスを確実に殺菌及び清浄することができ、患者が隔離された室内の空気汚染を防止することが可能となる。
【００４２】
本発明の一実施形態に係る室内空気殺菌清浄装置は、前記吸引ファンを備えた前記空気殺菌清浄装置と、薄型の箱状枠体の開口する正面に通気性のシート材を張設することによって、前記箱状枠体内に前記シート材で閉鎖された内部空間を形成し、該内部空間に連通する空気の流通が可能な接続部を設けた第１吸排気パネルとを含み、前記第１吸排気パネルの接続部に前記空気殺菌清浄装置の吸引口を接続し、前記第１吸排気パネルを介して室内の空気を前記空気殺菌清浄装置内に吸引し、該空気殺菌清浄装置によって前記呼気ガスを殺菌及び清浄した後、室内に排出させる構成としてある。
【００４３】
上記構成からなる室内空気殺菌清浄装置は、本空気殺菌清浄装置の空気清浄機への適用例であり、例えば、病院の診察室に好適である。本室内空気殺菌清浄装置によれば、室内の空気は、パスカルの原理により、第１吸排気パネルのシート材全面で吸引される。このような第１吸排気パネルを、診察室における患者の背後に立設すれば、診察中に患者が吐いた呼気ガスを効率よく吸引して殺菌及び清浄することができ、患者から医療従事者への空気感染を効果的に防止することが可能となる。さらに、患者及び医療従事者がマスクを着用した場合は、感染の可能性を大幅に低減することができる。
【００４４】
好ましくは、前記室内に、前記第１吸排気パネルと所定の間隔をあけて対向配置された第２吸排気パネルをさらに備え、該第２吸排気パネルの接続部に送風手段を接続し、前記第２吸排気パネルから前記第１吸排気パネルへの一方向の空気の流れを形成した構成とする。
【００４５】
上記構成によれば、第２吸排気パネルから第１吸排気パネルへの一方向の空気の流れが形成され、第１吸排気パネル近傍の空気が第２吸排気パネル側へ流れないようにすることができる。例えば、第１吸排気パネル側に患者を配置し、第２吸排気パネル側に医療従事者を配置すれば、患者から医療従事者への空気感染をより確実に防止することが可能となる。
【００４６】
好ましくは、前記送風手段が、前記第１吸排気パネルに接続した前記空気殺菌清浄装置、又は第１吸排気パネルに接続したものとは別個の前記空気殺菌清浄装置であり、いずれかの前記空気殺菌清浄装置の排出口を前記第２吸排気パネルの接続部に接続し、前記第２吸排気パネルから前記第１吸排気パネルへ殺菌及び清浄済みの空気が流れるようにした構成とする。
【００４７】
上記構成によれば、第１及び第２吸排気パネル間には、常に殺菌及び清浄済みの浄化された空気が流れ、極めて衛生的な空間を迅速に形成し維持することが可能となる。これにより、患者から医療従事者への空気感染をさらに確実に防止することができる。
【００４８】
本発明の一実施形態に係る第１の簡易隔離装置は、前記吸引ファンを備えた前記空気殺菌清浄装置と、閉鎖された空間の骨組みを形成する躯体フレームと、前記躯体フレームを被覆して、該躯体フレーム内に閉鎖された空間を形成する一又は複数のシート材と、前記シート材によって閉鎖された空間に連通する空気の流通が可能な接続部とを含み、前記接続部に、前記空気殺菌清浄装置の排出口又は吸引口を接続することによって、前記シート材によって閉鎖された空間に殺菌及び清浄済みの空気を供給し、又は、前記シート材によって閉鎖された空間内の空気を吸引して殺菌及び清浄する構成としてある。
【００４９】
上記構成によれば、躯体フレームとシート材によって簡易な隔離室を形成し、この簡易隔離室内に空気殺菌清浄装置から殺菌及び清浄済みの空気を供給することで、簡易隔離室内を清潔な空間に保つことができる。さらに、この構成において、空気殺菌清浄装置の排気口等にＨＥＰＡフィルタ等の高い集塵能力を有するフィルタを取り付けることで、簡易隔離室内に供給される殺菌及び清浄済み空気から塵埃や微粒子を除去し、簡易隔離室をバイオロジカルクリーンルームとすることが可能となる。
【００５０】
上記構成とは逆に、簡易隔離室内の空気を空気殺菌清浄装置で吸引して殺菌及び清浄した場合は、簡易隔離室内の患者の呼気によって、本簡易隔離装置を設置した室内の空気汚染を防止することができ、この室内における空気感染の防止、消臭を図ることが可能となる。
【００５１】
好ましくは、薄型の箱状枠体の開口する正面に通気性のシート材を張設することによって、前記箱状枠体内に前記シート材で閉鎖された内部空間を形成し、該内部空間に連通する空気の流通が可能な前記接続部を設けた吸排気パネルを備え、前記吸排気パネルを前記閉鎖された空間の天井に用い、該吸排気パネルの前記接続部に、前記空気殺菌清浄装置の排出口を接続することによって、該吸排気パネルを介して前記空間内に殺菌及び清浄済みの空気を供給する構成とする。
【００５２】
上記構成によれば、吸排気パネルからなる天井の全面から簡易隔離室内に殺菌及び清浄済みの空気を供給して、簡易隔離室内を効率よく無菌及び無臭状態にするとともに、この無菌及び無臭状態を効果的に維持することができる。
【００５３】
本発明の一実施形態に係る第２の簡易隔離装置は、前記吸引ファンを備えた前記空気殺菌清浄装置と、薄型の箱状枠体の開口する正面に通気性のシート材を張設することによって、前記箱状枠体内に前記シート材で閉鎖された内部空間を形成し、該内部空間に連通する空気の流通が可能な接続部を設けた吸排気パネルと、閉鎖された空間の骨組みを形成する躯体フレームと、前記躯体フレームを被覆して、該躯体フレーム内に閉鎖された空間を形成する一又は複数のシート材と、前記シート材によって閉鎖された空間に連通する開口部と、前記開口部を塞ぐ通気性のフィルタ部材と、を含み、前記空気殺菌清浄装置の吸気口を前記吸排気パネルの接続部に接続し、該排気パネルを前記シート材によって閉鎖された空間内に配設し、該空間内の空気を吸引して殺菌及び清浄する構成としてある。
【００５４】
上記構成によれば、躯体フレームとシート材によって簡易な隔離室を形成し、この簡易隔離室内の空気を空気殺菌清浄装置で吸引して殺菌及び清浄することで、本簡易隔離装置を設置した室内の空気汚染を防止することができ、この室内における空気感染の防止、消臭を図ることが可能となる。本簡易隔離装置では、吸排気パネルを介して簡易隔離室内の空気を吸引すると、この簡易隔離室内が負圧となり、同量の新しい空気がフィルタ部材を介して簡易隔離室内に供給され、簡易隔離室内の換気が良好に行われる。
【００５５】
好ましくは、前記開口部及びフィルタ部材を、前記シート材によって閉鎖された空間の上方に設けるとともに、前記吸排気パネルを、前記シート材によって閉鎖された空間の下方に配設し、前記空間の下方から該空間内の空気を吸引し、前記空間の上方から新しい空気が供給される構成とする。
【００５６】
上記構成によれば、躯体フレームとシート材からなる簡易隔離室内において、上方のフィルタ部材から下方の吸排気パネルに向かう一方向の空気の流れが生じ、吸排気パネルを介した汚染された空気の吸引と、フィルタを介した新しい空気の供給とがよりスムーズに行われるようになる。
【００５７】
発明の効果
本発明の空気殺菌清浄装置によれば、筒状反射体の一端側から他端側へ流れる空気を、紫外線ランプから直接照射された紫外線と、筒状反射体に反射された紫外線とによって効果的に殺菌することができる。これにより、筒状反射体の容積を小さく、全長を短くした場合でも高い殺菌効果を得ることができ、装置の小型化、簡単化及びローコスト化を図ることが可能となる。また、筒内における紫外線の反射効率が良好となるため、各板状光触媒フィルタに照射される紫外線照射量も増大し、空気中に含まれる有機化合物や無機化合物の酸化分解が可能となる。
【００５８】
本発明の呼気ガス殺菌清浄装置によれば、呼吸回路の呼気ガス排出用のチューブ、又は人工呼吸器を構成するベンチレータの呼気ガス排出口に本空気殺菌清浄装置を接続するだけで、患者の呼気ガスを確実に殺菌及び清浄することができ、患者が隔離された室内の空気汚染を防止することが可能となる。
【００５９】
本発明の室内空気殺菌清浄装置によれば、室内の空気を第１吸排気パネルのシート材全面で吸引することができる。このような第１吸排気パネルを、診察室における患者の背後に立設すれば、診察中に患者が吐いた呼気ガスを効率よく吸引して殺菌及び清浄することができ、患者から医療従事者への空気感染の防止と、室内の消臭とを効果的に図ることが可能となる。
【００６０】
本発明の簡易隔離装置によれば、躯体フレームとシート材によって簡易な隔離室を形成し、この簡易隔離室内に空気殺菌清浄装置から殺菌及び清浄済みの空気を供給することで、簡易隔離室内を清潔な空間に保つことができる。これとは逆に、この簡易隔離室内の空気を空気殺菌清浄装置で吸引して殺菌及び清浄すれば、簡易隔離室内の患者の呼気によって、本簡易隔離装置を設置した室内の空気汚染を防止することができ、この室内における空気感染の防止、消臭を図ることが可能となる。
【００６１】
図示された実施形態の説明
［第１実施形態］
まず、本発明の第１実施形態に係る空気殺菌清浄装置、及びこれを用いた呼気ガス殺菌清浄装置について、図１〜３を参照しつつ説明する。
【００６２】
図１において、本実施形態に係る呼気ガス殺菌清浄装置４は、患者ＰＡの吸気及び呼気を制御するベンチレータ１００と、このベンチレータ１００を載置するスタンド１２０と、吸気ガス及び呼気ガスの流路である呼吸回路と、患者ＰＡの呼気ガスを殺菌及び清浄する空気殺菌清浄装置１とからなっている。
【００６３】
＜ベンチレータ＞
ベンチレータ１００には、図示しない酸素ブレンダが接続してある。この酸素ブレンダは、圧縮空気と圧縮酸素を混合し、酸素濃度２１％（空気）〜１００％（純酸素）の吸気ガスを生成する。ベンチレータ１００は、患者ＰＡの呼吸努力による圧力の低下に基づいて図示しない吸気弁を開放し、酸素ブレンダが生成した吸気ガスを、吸気ガス用チューブ接続ポート１０１から送気する。
【００６４】
一方、ベンチレータ１００の呼気ガス用チューブ接続ポート１０２には、図示しない呼気弁が接続してあり、患者ＰＡの呼吸努力による圧力の上昇に基づいて呼気弁を開放し、患者ＰＡが吐いた呼気ガスを、呼気ガス用チューブ接続ポート１０２から装置内部に取り込む。その後、装置内に取り込んだ呼気ガスは、呼気ガス排出口１０３から装置外部に排出される。
【００６５】
＜呼吸回路＞
ベンチレータ１００の吸気ガス用チューブ接続ポート１０１及び呼気ガス用チューブ接続ポート１０２には、それぞれ吸気ガス用チューブ１１１及び呼気ガス用チューブ１１２が接続してある。各チューブ１１１及び１１２は、合成樹脂製の蛇管からなっている。各チューブ１１１及び１１２は、一方が二叉に分かれたＹ型コネクタ１１３に接続されており、Ｙ型コネクタ１１３の他方には、合成樹脂製の蛇管と接続部からなるカテーテルマウント１１４が接続してある。このカテーテルマウント１１４にはマスク１１５が接続してあり、マスク１１５は、患者ＰＡの口及び鼻を覆うように装着されている。なお、上述した呼吸回路の各構成要素は、１回限りで使い捨てるディスポーザブルタイプのものが好ましい。
【００６６】
＜空気殺菌清浄装置＞
ベンチレータ１００の呼気ガス排出口１０３には、合成樹脂製の蛇管からなるディスポーザブルタイプのチューブ１１６が接続してあり、このチューブ１１６に空気殺菌清浄装置１が接続してある。図２に示すように、空気殺菌清浄装置１は、筒状反射体１０の筒内に、紫外線ランプ１２、二枚の板状光触媒フィルタ１４、１４及び一枚の円板状銅フィルタ１５を収納した構成となっている。
【００６７】
＜＜筒状反射体＞＞
筒状反射体１０は、上端側を閉鎖部１０Ｂ、下端側を開口部１０Ｃとした円筒部材であり、筒状内面を鏡面処理１０Ａした構成となっている。筒状反射体１０の上端近傍には、呼気ガスの入口１１が設けてあり、この入口１１は、埃フィルタ１６（図１参照）を介してチューブ１１６に接続してある。チューブ１１６を流れる患者ＰＡの呼気ガスは、埃フィルタ１６を通って、入口１１から筒状反射体１０内に流入し、下端の開口部１０Ｃから筒状反射体１０外へ流出する。このような筒状反射体１０は、例えば、内径１００〜１５０ｍｍ程度、全長４００ｍｍ程度に小さくすることができる。
【００６８】
＜＜紫外線ランプ＞＞
紫外線ランプ１２は、筒状反射体１０内の中央に、その長手方向に沿って配設してある。この紫外線ランプ１２両端の電極部１２Ａ、１２Ｂは、筒状反射体１０外に設けられた電源装置（安定器）１３に接続してある。電源装置１３を介して紫外線ランプ１２に電源が供給されると、紫外線ランプ１２が点灯し、筒内に紫外線が照射される。この紫外線は、筒状内面の鏡面処理１０Ａに反射される。
【００６９】
＜＜板状光触媒フィルタ＞＞
板状光触媒フィルタ１４、１４は、筒状反射体１０の内径にほぼ等しい直径の通気性を有する円板状となっており、筒状反射体１０内の上端側及び下端側にそれぞれ設けられ、その中央を紫外線ランプ１２が貫通している。
【００７０】
本実施形態の各板状光触媒フィルタ１４は、円板状基材の表面を光触媒でコーティングした構成となっている。図２中の拡大図に示すように、板状光触媒フィルタ１４の円板状基材は、真っ直ぐなライナー１４ａの間に、波形の中芯１４ｂを接着した多層構造となっており、これらライナー１４ａと中芯１４ｂとが多数横並びの隙間（ハニカム）を形成している。光触媒としては、酸化チタンを用いることができ、酸化チタンに銀や活性炭等を配合して殺菌又は消臭効果を高めてもよい。
【００７１】
＜＜板状銅フィルタ＞＞
板状銅フィルタ１５は、銅製線材を網目状に織り又は不織布状に焼結させた通気性を有するメッシュフィルタである。筒状反射体１０の下端の開口部１０Ｃを板状銅フィルタ１５によって閉鎖したことにより、この板状銅フィルタ１５に含まれる銅イオンが殺菌効果を発揮するほか、筒状反射体１０内への害虫の侵入を防止することができる。
【００７２】
＜＜空気殺菌清浄装置の作用＞＞
上記構成からなる空気殺菌清浄装置１では、図３に示すように、紫外線ランプ１２から照射された紫外線が、筒状反射体１０の内面全体に施された鏡面処理１０Ａによって反射され、筒内における紫外線の反射効率が最大となる。この紫外線を受け、筒状反射体１０の上下に位置する板状光触媒フィルタ１４、１４が共に活性化する。
【００７３】
この状態において、入口１１から筒状反射体１０内に、患者ＰＡの呼気ガスが流入すると、この呼気ガスは、まず、上端側の板状光触媒フィルタ１４を通過する。このとき、板状光触媒フィルタ１４は、呼気ガス中に含まれる有機物質を基材表面に付着させ、この有機物質を、活性化した光触媒によって分解する。これにより、呼気ガスの悪臭の元となる有害物質が分解され、空気中の細菌やカビ等も死滅する。
【００７４】
上端側の板状光触媒フィルタ１４を通過した呼気ガスは、紫外線ランプ１２から直接照射された紫外線と、筒状反射体１０の鏡面処理１０Ａに反射された紫外線とに曝され、下端側の板状光触媒フィルタ１４に到達するまでの間、何ら遮られることなく効果的に殺菌される。
【００７５】
その後、紫外線ランプ１２によって殺菌された呼気ガスは、下端側の板状光触媒フィルタ１４を透過し、上記と同様、活性化した光触媒により清浄される。最後に、呼気ガスは、板状銅フィルタ１５の銅イオンによって殺菌され、開口部１０Ｃから室内に放出される。
【００７６】
＜＜第１実施形態の効果＞＞
上記構成からなる本実施形態の空気殺菌清浄装置１によれば、筒状反射体１０の長手方向に沿って紫外線ランプ１２を配設したことにより、筒内における紫外線の反射効率が最大となる。これにより、筒状反射体１０の容積を小さく、全長を短くした場合でも高い殺菌及び清浄効果を得ることができ、装置の小型化、簡単化及びローコスト化を図ることが可能となる。
【００７７】
また、筒内における紫外線の反射効率が最大となるため、各板状光触媒フィルタ１４に照射される紫外線照射量も増大する。これにより、強力な紫外線で光触媒を効果的に光触媒活性させることができ、各板状光触媒フィルタ１４を通過する呼気ガスの殺菌、脱臭及び有害ガスの除去効果を増大させることが可能となる。
【００７８】
さらに、本実施形態の呼気ガス殺菌清浄装置４によれば、ベンチレータ１００の呼気ガス排出口１０３に本空気殺菌清浄装置１を接続するだけで、患者の呼気ガスを確実に殺菌及び清浄することができ、患者が隔離された室内の空気汚染を防止することが可能となる。
【００７９】
特に、病院や家庭内での空気感染を防止することがき、例えば、感染力の強いインフルエンザウイルス（ex.Ｈ５Ｎ１、Ｈ１Ｎ１等）に感染した患者に本呼気ガス殺菌清浄装置４を用いることで、感染の拡大を効果的に阻止することが可能となる。
【００８０】
＜＜実施例＞＞
図２に示す本空気殺菌清浄装置を下記表１の仕様で製造した。例えば、インフルエンザウイルスを９９．９％殺菌するのに必要な紫外線量は６．６mW・sec/cm2である。これに対し、本実施例の空気殺菌清浄装置は、直径１５０mm、有効殺菌長３００mmの筒状反射体内で６６mW・sec/cm2の殺菌線量（インフルエンザウイルスを９９．９％殺菌するのに必要な紫外線量の１０倍）を照射することが可能である。
【００８１】
【表１】
2011087100.tif 000003
【００８２】
また、図２に示す酸化チタンフィルタによるアセトアルデヒドの分解試験（脱臭性能試験）を下記表２のとおりに実施した。この試験結果を下記表３に示す。
【００８３】
【表２】
2011087100.tif 000004
【００８４】
【表３】
2011087100.tif 000005
【００８５】
＜＜その他＞＞
本発明の空気殺菌清浄装置は、上述した実施形態に限定されるものではない。例えば、上記実施形態では、筒状反射体１０を円筒部材としたが、多角形の筒部材としてもよい。これ同様に、各板状光触媒フィルタ１４及び各板状銅フィルタ１５の外形も多角形とすることができる。
【００８６】
また、筒状反射体１０の下端側を開口部１０Ｃとしたが、図４に示すように、筒状反射体２０の上端及び下端側を共に閉鎖部２０Ａ、２０Ｂとしてもよい。さらに、上記実施形態では、筒状反射体１０の上端及び下端側にそれぞれ一枚ずつ板状光触媒フィルタ１４、１４を設けたが、これらフィルタ１４、１４の間に必要に応じて板状光触媒フィルタを追加してもよい。
【００８７】
これに加え、上述した実施形態では、ベンチレータ１００を含む人工呼吸器に空気殺菌清浄装置１を適用した構成を例示したが、これに限定されるものではなく、患者ＰＡの呼気ガスが通る呼吸回路に空気殺菌清浄装置１を接続すれば、上記と同様に、患者ＰＡの呼気ガスを確実に殺菌及び清浄することができる。
【００８８】
［第２実施形態］
次に、本発明の第２実施形態に係る空気殺菌清浄装置、及びこれを用いた呼気ガス殺菌清浄装置について、図４を参照しつつ説明する。
【００８９】
なお、図４において、上述した第１実施形態と同様の部分については同一の符号を付して詳細な説明は省略する。また、同図に示すベンチレータ１００の吸気ガス用チューブ接続ポート１０１及び呼気ガス用チューブ接続ポート１０２には、上述した第１実施形態と同様の呼吸回路が接続されているものとし、図示は省略する。
【００９０】
＜呼気ガスの流速調整について＞
図４において、本実施形態の呼気ガス殺菌清浄装置５では、ベンチレータ１００の呼気ガス排出口１０３に、レザボアバック１３１を介して空気殺菌清浄装置２が接続してあり、空気殺菌清浄装置２を通過する呼気ガスの流速を一定にする構成としてある。
【００９１】
すなわち、図４中のレザボアバック１３１左側のグラフに示すように、患者ＰＡが吐き出す呼気ガスの流れにはピーク（グラフ中の点線円を参照）があり、ピークフロー時の呼気ガスが、極めて速く空気殺菌清浄装置２を通過すると、殺菌及び清浄が不十分となってしまうおそれがある。そこで、本実施形態では、同図中のレザボアバック１３１右側のグラフに示すように、ベンチレータ１００から送気される呼気ガスの流速を一定にし、呼気ガスをより確実に殺菌及び清浄することができるようにしている。
【００９２】
レザボアバック１３１は、空気の流入及び流出によって膨張及び収縮が可能なゴム製袋であり、このレザボアバック１３１には、内側からの空気圧を受けて閉じた状態となる一方弁１３２が接続してある。
【００９３】
一方、本実施形態の空気殺菌清浄装置２は、その筒状反射体２０が、上端及び下端をそれぞれ閉鎖部２０Ａ、２０Ｂとした円筒部材となっている。この筒状反射体２０の上端側には空気の吸引口２１が設けてあり、下端側には空気の排出口２２が設けてある。吸引口２１は、埃フィルタ１６及びチューブ１１６を介して、レザボアバック１３１に接続してある。一方、排気口２２には吸引ファン２４が接続してあり、この吸引ファン２４は、筒状反射体２０の上端側から下端側へ一定の速度で空気を流通させる。
【００９４】
上記構成からなる呼気ガス殺菌清浄装置５では、ベンチレータ１００から呼気ガスが排出されると、一方弁１３２が空気圧を受けて閉じた状態となり、レザボアバック１３１内に呼気ガスが流入し、レザボアバック１３１が膨張した状態となる。レザボアバック１３１内に蓄えられた呼気ガスは、空気殺菌清浄装置２の吸引ファン２４によって吸引され、一定の速度で筒状反射体２０内を通過する。
【００９５】
以上の動作を、ベンチレータ１００から呼気ガスが排出される度に行うことで、空気殺菌清浄装置２を通過する呼気ガスの流速を常に一定とすることができ、呼気ガスをより確実に殺菌及び清浄することが可能となる。
【００９６】
＜呼気ガスの酸素濃度対策について＞
上述したように、ベンチレータ１００には、図示しない酸素ブレンダが接続してあり、吸気ガスの酸素濃度を２１％〜１００％の範囲で調整することができる。このため、高酸素濃度の吸気ガスを患者ＰＡに供給した場合は、呼気ガスの酸素濃度も高くなり、一般的には、スパークによって周辺部品が発火する可能性がないとはいえない。
【００９７】
そこで、本実施形態の空気殺菌清浄装置２では、紫外線ランプ１２の各電極部１２Ａを電極収納部２３、２３内に収納し、筒状反射体２０の内部空間から遮断するとともに、各電極部１２Ａへの外気の流通を可能とした構成としてある。
【００９８】
図４中の拡大図に示すように、各電極収納部２３は、一端側が開口した有底の円筒状となっている。各電極収納部２３の円筒開口には、ゴム等の弾性部材で形成されたシール部材２３ａが圧入されている。このシール部材２３ａは、紫外線ランプ１２の電極部１２Ａの外周に密着し、筒状反射体２０内の呼気ガスが電極収納部２３内に侵入しないようにシールしている。一方、各電極収納部２３の円筒底部には、複数の通気孔２３ｂ、２３ｂ、２３ｂ…が穿設してあり、電極収納部２３内への外気の流通を可能としている。
【００９９】
このような電極収納部２３によれば、酸素濃度の高い呼気ガスが筒状反射体２０内に流入した場合でも、紫外線ランプ１２の各電極部１２Ａを、筒状反射体２０の内部空間から遮断することができる。また、紫外線ランプ１２の各電極部１２Ａに外気を流通させることで、この電極部１２Ａ周辺の酸素濃度を低下させることができる。これにより、各電極部１２Ａのスパークによって、空気殺菌清浄装置２の構成部品が発火する危険性を回避することができる。
【０１００】
［第３実施形態］
本発明の第３実施形態に係る空気殺菌清浄装置について、図５を参照しつつ説明する。
【０１０１】
図５に示すように、本実施形態の空気殺菌清浄装置３は、複数の空気殺菌清浄装置３Ａ、３Ｂ、３Ｃ、３Ｄを直列に連結し、これら空気殺菌清浄装置３Ａ〜３Ｄを筐体３６内に収納した構成となっている。
【０１０２】
各空気殺菌清浄装置３Ａ〜３Ｄの筒状反射体３０は、上端及び下端を共に閉鎖部３０Ａ、３０Ｂとした円筒部材からなり、各筒状反射体３０の上端側と下端側とを、空気の流通が可能な管路３３、３３、３３を介して直列に連結してある。図示しないが、各筒状反射体３０の内部には、図４の空気殺菌清浄装置２と同様に、紫外線ランプ１２、二枚の板状光触媒フィルタ１４、１４及び一枚の板状銅フィルタ１５が収納してある。
【０１０３】
なお、説明の便宜上、図５には四つの空気殺菌清浄装置３Ａ〜３Ｄを横１列に示したが、実際は、複数の空気殺菌清浄装置３Ａ、３Ｂ、３Ｃ、３Ｄ…が嵩張らないように纏めて並べ又は円形状、円弧状に並べ、互いに管路３３で連結してもよい。
【０１０４】
直列の一端に連結された空気殺菌清浄装置３Ａには吸引口３１が設けてあり、直列の他端に連結された空気殺菌清浄装置３Ｄには排出口３２が設けてある。吸引口３１には、埃フィルタ１６が接続してあり、この埃フィルタ１６によって外部から吸引した空気に含まれる埃や塵の侵入を遮断している。
【０１０５】
一方、排出口３２には、吸引ファン３４とＨＥＰＡフィルタ３５とが接続してある。吸引ファン３４は、吸引口３１から吸引した外部の空気を、各空気殺菌清浄装置３Ａ〜３Ｄに強制的に流通させる。ＨＥＰＡフィルタ（High Efficiency Particulate Air Filter）３５は、日本工業規格（JIS Z8122）で定義されているように「定格流量で粒径が０．３μmの粒子に対して９９．９７％以上の粒子捕集率をもち、かつ初期圧力損失が２４５Pa以下の性能を持つエアフィルター」である。
【０１０６】
万が一、各空気殺菌清浄装置３Ａ〜３Ｄによって殺菌することができなかった場合でも、吸引ファン３４の排出側にＨＥＰＡフィルタ３５を配置したことにより、殺菌できなかった細菌の室内への放出を確実に阻止することができる。また、各空気殺菌装置３Ａ〜３Ｄが殺菌及び消臭した空気からハウスダスト、花粉等のアレルギー物質などの塵埃や微粒子を除去することができる。
【０１０７】
直列に連結された各空気殺菌清浄装置３Ａ〜３Ｄは筐体３６内に収納され、この筐体３６内において、吸引口３１は、埃フィルタ１６を介して、筐体３６の外部吸引口３６Ａに連結され、排出口３２は、吸引ファン３４及びＨＥＰＡフィルタ３５を介して、筐体３６の外部排出口３６Ｂに連結される。
【０１０８】
上述した第１及び第２実施形態の空気殺菌清浄装置１、２は、小型かつ簡単な構成でありながら高い殺菌及び清浄能力を発揮するものであるが、より大量の空気を短時間で殺菌及び清浄する必要がある場合などは、上述した本空気殺菌清浄装置３の構成を採用するとよい。本空気殺菌清浄装置３によれば、小さい容積、短い全長の空気殺菌清浄装置３Ａ〜３Ｄを直列に連結させることで、装置全体の小型化を図りつつ、殺菌及び清浄の効果を大幅に向上させることが可能となる。
【０１０９】
また、例えば、複数の筒状反射体３０、３０、３０…内にそれぞれ配置された紫外線ランプ１２、１２、１２…のうちの１本が切れた場合でも、他の筒状反射体３０内の紫外線ランプ１２によって殺菌することができるフェイルセーフの効果もある。
【０１１０】
本実施形態の空気殺菌清浄装置３は、そのまま部屋に設置して室内の空気を殺菌及び清浄することが可能であり、さらに、以下の第４〜第７実施形態で説明するような種々の態様に適用することができる。
【０１１１】
［第４実施形態］
次に、本発明の第４実施形態として、図５の空気殺菌清浄装置を用いた室内空気殺菌清浄装置について、図６及び図７を参照しつつ説明する。なお、図６及び図７において、上述した第３実施形態と同様の部分については、同一の符号を付して詳細な説明は省略する。
【０１１２】
図６において、本実施形態に係る室内空気殺菌清浄装置６は、例えば、病院の診察室などの室内に衝立状の第１及び第２吸排気パネル４０Ａ、４０Ｂを室内に対向配置し、上述した空気殺菌清浄装置３の外部吸引口３６Ａを第１吸気パネル４０Ａに接続し、外部排出口３６Ｂを第２吸気パネル４０Ｂに接続した構成としてある。
【０１１３】
第１及び第２吸排気パネル４０Ａ、４０Ｂは、共に、薄型の箱状枠体４１の開口する正面に通気性シート材４２を張設した同一の構成となっている。通気性シート材４２は、少なくともパスカルの原理により全面から均一に吸気及び排気が可能なものであればよく、例えば、不織布、微細孔を全面に穿設した合成樹脂フィルム、又は布団乾燥機のエアマットに用いられるようなナイロン繊維シートなどを用いることができる。
【０１１４】
このような通気性シート材４２は、空気の吸排気時の変形を防止するために、格子状のシートフレーム４２ａに固定してある。箱状枠体４１内には、通気性シート材４２で閉鎖された内部空間が形成され、箱状枠体４１の背面には、その内部空間に連通する円筒状の接続部４３が突設してある。
【０１１５】
第１吸排気パネル４０Ａの接続部４３は、吸気用チューブ４４を介して空気殺菌清浄装置３の外部吸引口３６Ａに接続してあり、第２吸排気パネル４０Ｂの接続部４３は、排気用チューブ４５を介して空気殺菌清浄装置３の外部排出口３６Ｂに接続してある。
【０１１６】
上記構成からなる室内空気殺菌清浄装置６は、例えば、病院の診察室において、第１吸排気パネル４０Ａを患者の背後、第２吸排気パネル４０Ｂを医者の背後に立設する。そして、空気殺菌清浄装置３の電源をＯＮにし、紫外線ランプ１２を点灯させ、吸引ファン３４（図５参照）を作動させる。
【０１１７】
すると、患者側の空気が、第１吸排気パネル４０Ａの通気性シート材４２全面から均一に吸引される。吸引された患者側の空気は、吸気用チューブ４４を通って空気殺菌清浄装置３（３Ａ〜３Ｄ）により殺菌及び清浄され、排気用チューブ４５を通って第２吸排気パネル４０Ｂの通気性シート４２全面から均一に排出される。これにより、第２吸排気パネル４０Ｂから第１吸排気パネル４０Ａへの一方向の空気の流れが形成され、第１吸排気パネル４０Ａ近傍の空気が第２吸排気パネル４０Ｂ側へ流れない、すなわち、患者側の空気が医者側へ流れないようにすることができる。
【０１１８】
本実施形態の室内空気殺菌清浄装置６によれば、診察中に患者が吐いた呼気ガスを効率よく吸引して殺菌及び清浄することができ、患者から医者、その他医療従事者への空気感染を効果的に防止することが可能となる。さらに、患者及び医療従事者がマスクを着用した場合は、感染の可能性を大幅に低減することができる。
【０１１９】
なお、図７に示すように、第１及び第２吸排気パネル４０Ａ、４０Ｂに、別個の空気殺菌清浄装置３、３をそれぞれ接続してもよい。第１吸排気パネル４０Ａに接続した空気殺菌清浄装置３は、第１吸排気パネル４０Ａの全面から患者側の空気を吸引して殺菌及び清浄し、外部排気口３６Ｂから診療室内に放出する。この殺菌及び清浄済みの空気は、第２吸排気パネル４０Ｂに接続した空気殺菌清浄装置３の外部吸気口３６Ａから吸引され、再度、殺菌及び清浄された後、第２吸排気パネル４０Ｂの全面から排出される。
【０１２０】
このような構成によれば、第１及び第２吸排気パネル４０Ａ、４０Ｂ間には、常に殺菌及び清浄済みの浄化された空気が流れ、極めて衛生的な空間を迅速に形成し維持することが可能となる。これにより、患者から医者等への空気感染をより確実に防止することができる。
【０１２１】
［第５実施形態］
次に、本発明の第５実施形態として、図５の空気殺菌清浄装置を用いた簡易隔離装置について、図８を参照しつつ説明する。なお、図８において、上述した第３及び第４実施形態と同様の部分については、同一の符号を付して詳細な説明は省略する。
【０１２２】
本実施形態に係る簡易隔離装置７は、例えば、白血病の患者や火傷を負った患者などの日和見感染を防止するための簡易なバイオロジカルクリーンルームとして用いることができる。バイオロジカルクリーンルームとは、一般に、室内の生物微粒子や非生物微粒子が所定の清浄度以下となるように管理された空間をいう。
【０１２３】
図８において、本実施形態の簡易隔離装置７は、閉鎖された空間を形成する簡易な隔離室５０に空気殺菌清浄装置３を接続し、隔離室５０内に殺菌及び清浄済みの空気を供給する構成となっている。隔離室７０の骨組みは天井板と４本の支柱とからなり、天井板には、図６と同一構成の吸排気パネル４０を用いている。吸排気パネル４０は、その通気性シート材４２を下向きにして、四隅を躯体フレーム５１、５１、５１、５１で支持している。これら躯体フレーム５１の相互間には、非通気性シート５２、５２、５２、５２が被覆してあり、これによって外部から閉鎖された空間が形成される。このような隔離室５０は、病室内に設置され、隔離室５０内にはベッドＢや図示しない医療機器が置かれる。
【０１２４】
空気殺菌清浄装置３は、その外部排気口３６Ｂを、排気用チューブ４５を介して、吸排気パネル４０の接続部４３に接続してあり、その外部吸気口３６Ａは室内に開放してある。この空気殺菌清浄装置３を作動させると、室内の空気が、外部吸気口３６Ａから空気殺菌清浄装置３内に吸引され、筐体３６内に収納された４つの空気殺菌清浄装置３Ａ〜３Ｄに殺菌及び清浄される。そして、図５に示すＨＥＰＡフィルタ３５を通過することによって殺菌及び清浄済みの空気から塵埃や微粒子が除去される。その後、殺菌、清浄及び塵埃等が除去されたクリーンな空気は、外部排気口３６Ｂから排出され、排気用チューブ４５を通って、吸排気パネル４０の通気性シート材４２全面から隔離室５０内に排出される。
【０１２５】
このような構成からなる簡易隔離装置７によれば、吸排気パネル４０、躯体フレーム５１と非通気性シート材５２によって簡易な隔離室５０を形成し、この隔離室５０内に空気殺菌清浄装置３から殺菌及び清浄済みの空気を供給することで、隔離室５０内の生物微粒子や非生物微粒子を所定の清浄度以下に管理することができ、極めて簡易なバイオロジカルクリーンルームを形成することが可能となる。また、吸排気パネル４０からなる天井板の全面から隔離室５０内に殺菌及び清浄済みの空気を供給して、隔離室５０内の空気を効率よく循環させることができ、バイオロジカルクリーンルームを効果的に形成し、維持することができる。
【０１２６】
［第６実施形態］
次に、本発明の第６実施形態として、図５の空気殺菌清浄装置を用いた簡易隔離装置について、図９を参照しつつ説明する。なお、図９において、上述した第３〜第５実施形態と同様の部分については、同一の符号を付して詳細な説明は省略する。
【０１２７】
本実施形態に係る簡易隔離装置８は、例えば、結核、麻疹、水疱瘡、Ｈ５Ｎ１、Ｈ１Ｎ１等の感染症患者を隔離し、第三者への空気感染を防止するための簡易な隔離個室として用いることができる。
【０１２８】
図９において、本実施形態の簡易隔離装置８は、天井板５３の四隅を躯体フレーム５１、５１、５１、５１で支持するとともに、これら躯体フレーム５１の相互間を非通気性シート５２、５２、５２、５２で被覆することで、外部から閉鎖された簡易な隔離室５０を形成している。この隔離室５０の天井板５３には矩形の開口部５３ａが設けてあり、この開口部５３にはフィルタ部材５４が張設してある。
【０１２９】
これら開口部５３ａ及びフィルタ部材５４は、隔離室５０内に外気を取り込むためのものであり、フィルタ部材５４は、外部から隔離室５０内へスムーズに空気を流入させることができ、かつ塵埃等の侵入を遮断することが可能なものでなければならない。フィルタ部材５４として、例えば、不織布を素材とした空調機用のプレフィルタのような空気の透過率が比較的高いものを用いることができる。
【０１３０】
隔離室５０内の床面（図中のベッドＢの下）には、図６と同一構成の吸排気パネル４０が、その通気性シート材４２を上向きにして配置してあり、この吸排気パネル４０は、吸引用チューブ４４を介して、空気殺菌清浄装置３の外部吸気口３６Ａに接続してある。この吸排気パネル４０は、図９に示すように、感染症患者の近傍で、かつ天井板５３のフィルタ部材５４と対向する位置に配置することが望ましい。
【０１３１】
このような構成からなる簡易隔離装置８によれば、天井板５３、躯体フレーム５１及び非通気性シート材５２によって簡易な隔離室５０を形成し、この隔離室５０内の空気を空気殺菌清浄装置４０で吸引して殺菌することで、感染症患者から第三者への空気感染を防止することが可能となる。
【０１３２】
また、吸排気パネル４０を介して隔離室５０内の空気を吸引すると、この隔離室５０内が負圧となり、同量の新しい空気がフィルタ部材５４を介して隔離室５０内に供給され、隔離室５０内の換気が良好に行われる。
【０１３３】
さらに、本実施形態では、吸排気パネル４０を、感染症患者の近傍で、かつ天井板５３のフィルタ部材５４と対向する位置に配置しているので、上方のフィルタ部材５４から下方の吸排気パネル４０に向かう一方向の空気の流れが生じる。これにより、感染患者の呼気ガスが吸排気パネル４０にスムーズに吸引されるとともに、細菌に汚染された空気がフィルタ部材５４を介して外部に流出することがない。
【０１３４】
［第７実施形態］
次に、本発明の第７実施形態に係る空気殺菌清浄装置について、図１０を参照しつつ説明する。
【０１３５】
＜筒状反射体＞
図１０において、９は本実施形態に係る空気殺菌清浄装置であり、筒状反射体１０の一端側及び他端側を閉鎖させた構成となっている。筒状反射体１０の一端側には空気の入口１１Ａが設けてあり、他端側には空気の出口１１Ｂが設けてある。上述した第１実施形態と同様に、筒状反射体１０の内面は、鏡面処理１０Ａした構成となっており、次に述べる紫外線ランプ６０から出射された紫外線の反射効率が最大となる。
【０１３６】
＜紫外線ランプ＞
筒状反射体１０の筒内には、略Ｕ字形蛍光管を備えた紫外線ランプ６０が配置してある。本実施形態の紫外線ランプ６０は、二本の蛍光管をブリッジさせて略Ｕ字形にした構成としてある。このような略Ｕ字形の紫外線ランプ６０を採用することにより、空気殺菌清浄装置９をコンパクト化しつつ、紫外線による空気の殺菌性能を大幅に向上させることができる。
【０１３７】
また、図２に示すような直管形の紫外線ランプ１２と比較して、略Ｕ字形の紫外線ランプ６０は、筒状反射体１０の他端側に電極部６１を集約させることができ、空気殺菌清浄装置９の構成の簡単化を図ることが可能となる。例えば、略Ｕ字形の紫外線ランプ６０を採用した場合には、図４の拡大図に示すような電極部周辺の酸素濃度を低下させる構成を、筒状反射体１０の他端側に設ければよい。
【０１３８】
なお、本実施形態では、二本の蛍光管をブリッジさせて略Ｕ字形にした紫外線ランプ６０を採用したが、一本の蛍光管を折り曲げて略Ｕ字形にした構成の紫外線ランプを採用してもよい。
【０１３９】
＜整流手段・板状光触媒フィルタ＞
筒状反射体１０の筒内の入口１１付近には、紫外線ランプ６０が貫通しない円板状の板状光触媒フィルタ１４Ａが配設してある。筒状反射体１０の筒内の板状光触媒フィルタ１４Ａよりも他端側には、紫外線ランプ６０が貫通する略環状の板状光触媒フィルタ１４Ｂ及び１４Ｃが間隔をあけて配設してある。これら板状光触媒フィルタ１４Ａ〜１４Ｃは、板状光触媒フィルタ１４Ａが貫通孔を有していない点を除き、図２に示した板状光触媒フィルタ１４と同様の構成となっている。
【０１４０】
すなわち、各板状光触媒フィルタ１４Ａ〜１４Ｃは、筒状反射体１０の内径にほぼ等しい直径の通気性を有する円板状となっており、基材の表面を光触媒でコーティングした構成となっている。図２中の拡大図に示すように、各板状光触媒フィルタ１４Ａ〜１４Ｃの基材は、真っ直ぐなライナー１４ａの間に、波形の中芯１４ｂを接着した多層構造となっており、これらライナー１４ａと中芯１４ｂとが多数横並びの隙間（ハニカム）を形成している。光触媒としては、酸化チタンを用いることができ、酸化チタンに銀や活性炭等を配合して殺菌又は消臭効果を高めてもよい。
【０１４１】
ここで、図１０の白抜き矢印に示すように、入口１１付近の貫通孔を有しない板状光触媒フィルタ１４Ａは、基材に均等に配列された多数の隙間（ハニカム）によって、入口１１から筒内に流入した空気の乱流ＴＦを層流ＬＦに整える整流手段の役割を果たす。その後、板状光触媒フィルタ１４Ａによって整えられた空気は、同様の隙間（ハニカム）を有する板状光触媒フィルタ１４Ｂ及び１４Ｃを通過し、層流ＬＦを保って筒内を均一に流れる。これにより、紫外線ランプ６０及び板状光触媒フィルタ１４Ａ〜１４Ｃによる殺菌、消臭、脱臭及び有害ガスの除去を効果的に行うことが可能となる。
【０１４２】
また、各板状光触媒フィルタ１４Ａ〜１４Ｃは、上述した第１実施形態と同様に、呼気ガスなどの空気中に含まれる有機物質を基材表面に付着させ、この有機物質を、活性化した光触媒によって分解する。これにより、呼気ガスの悪臭の元となる有害物質が分解され、筒内に流入した空気中の細菌やカビ等を死滅させることができる。
【０１４３】
なお、本実施形態では、空気の流れを整える整流手段として、貫通孔を有しない板状光触媒フィルタ１４Ａを採用したが、これに限定されるものではない。例えば、フィン、格子、多孔板など、空気の流れを均一にすることが可能な種々のタイプ整流手段を適用することができる。但し、整流手段として板状光触媒フィルタ１４Ａを採用した場合は、空気の流れを整える効果に加え、光触媒による殺菌、消臭、脱臭及び有害ガスの除去といった効果も得られる。
【０１４４】
＜板状銅フィルタ＞
本実施形態の空気殺菌清浄装置９では、筒状反射体１０の入口１１Ａ、出口１１Ｂ、及び筒状反射体１０の他端側底部に、それぞれ板状銅フィルタ１５Ａ、１５Ｂ、１５Ｃを設けた構成としてある。各板状銅フィルタ１５Ａ〜１５Ｃは、上述した第１実施形態と同様に、銅製線材を網目状に織り又は不織布状に焼結させた通気性を有するメッシュフィルタである。
【０１４５】
筒状反射体１０の入口１１Ａ及び出口１１Ｂを、板状銅フィルタ１５Ａ、１５Ｂによって閉鎖したことにより、この板状銅フィルタ１５Ａ、１５Ｂに含まれる銅イオンが殺菌効果を発揮するほか、筒状反射体１０内への害虫や異物の侵入を防止することができる。特に、銅イオンは、病原性大腸菌Ｏ−１５７、レジオネラ菌に高い除菌効果を発揮する。
【０１４６】
一方、筒状反射体１０の他端側底部に設けた板状銅フィルタ１５Ｃは、呼気ガスなどの空気中に含まれる水分が筒内で結露し、筒状反射体１０の他端側底部に水滴Ｗが貯留した場合に、該水滴Ｗを除菌する。筒状反射体１０の他端側底部の近傍には、貯留した水滴Ｗを筒外に排出させるための排出口１１Ｃが設けてある。図示しないが、排出口１１Ｃにホースを接続し、板状銅フィルタ１５Ｃで除菌した水滴Ｗを、安全な場所に排出させることが可能である。このような板状銅フィルタ１５Ｃの除菌効果は、空気殺菌清浄装置９の電源をＯＦＦにしたときにも発揮されるので、筒状反射体１０内に貯留した水滴Ｗを確実に除菌することができる。
【０１４７】
＜電源装置・タイムカウンタ＞
本実施形態の空気殺菌清浄装置９では、筒状反射体１０の他端側に、該筒状反射体１０と同じ外径の筒状筐体１７が連結してあり、該筒状筐体１７の内部に電源装置１３を収納した構成となっている。また、筒状筐体１７の外周面には、電源装置１３のＯＮ／ＯＦＦ操作を行うための電源スイッチ１３Ａが配設してある。なお、１３Ｂは、電源装置１３に電源を供給するための電源コードである。
【０１４８】
ここで、筒状筐体１７の外周面には、紫外線ランプ６０の累積使用時間を表示するタイムカウンタ６２が設けてある。該タイムカウンタ６２により、目視することのできない筒状反射体１０内の紫外線ランプ６０の寿命又は交換時期（例えば、長寿命のもので５０００〜８０００時間）を使用者に確実に報知することができる。
【０１４９】
なお、紫外線ランプ６０の寿命や交換時期を報知するための手段は、タイムカウンタ６２に限定されるものではなく、例えば、紫外線ランプ６０の累積使用時間や交換時期を数字、文字、記号又は図形などで知らせる液晶表示装置、又は紫外線ランプ６０の寿命や交換時期をＬＥＤランプ等で知らせる機構等を採用してもよい。
【０１５０】
＜実施例＞
図１０に示す構成の空気殺菌清浄装置に試験菌（黄色ブドウ球菌）を含む空気を吸引させ、本装置を通過した後の試験菌の生残率及び殺菌率を測定した。その結果、本実施例の空気殺菌清浄装置によれば、２０リットルの空気中に含まれる３６，０００，０００の試験菌を９９．９９９９９７％殺菌できることが判明した。
【０１５１】
【表４】
2011087100.tif 000006
但し、使用した紫外線ランプは、ワット数３６Ｗ、紫外線出力１２Ｗのものを用いた。また、実施例の平均値（Ｂ）は、分析装置の検出限界＜１を１として計算した。
生残率（％）＝実施例の平均値（Ｂ）／比較例の平均値（Ａ）×１００％
殺菌率（％）＝１００％−生残率（％）
【符号の説明】
【０１５２】
１、２、３  空気殺菌清浄装置
３Ａ〜３Ｄ  空気殺菌清浄装置
４、５  呼気ガス殺菌清浄装置
６  室内空気殺菌清浄装置
７、８  簡易隔離装置
１０  筒状反射体
１０Ａ  鏡面処理
１０Ｂ  閉鎖部
１０Ｃ  開口部
１１  入口
１２  紫外線ランプ
１２Ａ  電極部
１３  電源装置
１４  板状光触媒フィルタ
１５  板状銅フィルタ
１６  埃フィルタ
２０  筒状反射体
２０Ａ、２０Ｂ  閉鎖部
２１  吸気口
２２  排気口
２３  電極収納部
２３ａ  シール部
２３ｂ  通気孔
２４  吸引ファン
３０  筒状反射体
３０Ａ、３０Ｂ  閉鎖部
３１  吸引口
３２  排出口
３３  管路
３４  吸引ファン
３５  ＨＥＰＡフィルタ
３６  筐体
３６Ａ  外部吸引口
３６Ｂ  外部排出口
４０Ａ  第１吸排気パネル
４０Ｂ  第２吸排気パネル
４１  箱状枠体
４２  通気性シート材
４２ａ  シートフレーム
４３  接続部
４４  吸気用チューブ
４５  排気用チューブ
４０  吸排気パネル
４３  接続部
５０  隔離室
５１  躯体フレーム
５２  非通気性シート材
５３  天井板
５３ａ  開口部
５４  フィルタ部材
１００  ベンチレータ
１０１  吸気ガス用チューブ接続ポート
１０２  呼気ガス用チューブ接続ポート
１０３  呼気ガス排出口
１１１  吸気ガス用チューブ
１１２  呼気ガス用チューブ
１１３  Ｙ型コネクタ
１１４  カテーテルマウント
１１５  マスク
１１６  チューブ
１２０  スタンド
１３１  レザボアバック
１３２  一方弁
ＰＡ  患者
ＵＶ  紫外線
Ｂ  ベッド
９：空気殺菌清浄装置
１０：円筒状反射体
１１Ａ：入口
１１Ｂ：出口
１１Ｃ：排水口
１３：電源装置
１３Ａ：電源スイッチ
１３Ｂ：電源コード
１４Ａ〜１４Ｃ  板状光触媒フィルタ
１５Ａ〜１５Ｃ：板状銅フィルタ
６０：紫外線ランプ
６１：電極部
６２：タイムカウンタ
ＴＦ：乱流
ＬＦ：層流
Ｗ：水滴
【図１】
2011087100.tif 000007
【図２】
2011087100.tif 000008
【図３】
2011087100.tif 000009
【図４】
2011087100.tif 000010
【図５】
2011087100.tif 000011
【図６】
2011087100.tif 000012
【図７】
2011087100.tif 000013
【図８】
2011087100.tif 000014
【図９】
2011087100.tif 000015
【図１０】
2011087100.tif 000016
【国際調査報告】
2011087100.tif 000017
2011087100.tif 000018
2011087100.tif 000019
2011087100.tif 000020
2011087100.tif 000021
2011087100.tif 000022
2011087100.tif 000023
2011087100.tif 000024